(57)【要約】【目的】１度の接続で必要とする気体を供給できる気体供給装置を提供することを目的とし、さらには、本装置を用いて植栽土壌基材の殺菌から植栽土壌への調整までの一連の作業を全て行うことができる攪拌装置を提供することを目的とする。【構成】気体供給装置１を、蒸気発生用のボイラー２と、冷風または熱風発生用の熱交換器３から構成し、それらの出力を外部接続可能な１つの出力口５１に集め、その出力口５１から所定の出力を供給する。また、攪拌装置６を、植栽土壌基材１０の投入口７３を有する収容槽７と、その収容槽７内に植栽土壌基材１０を攪拌するための羽根９を立設した水平軸８を設けて構成し、その水平軸８に、前記出力口５１に接続可能な入力口８２と、その入力口８２から続く多数の噴射口８２を形成した導通路８３を設ける。【選択図】　図１
2004016053.tif 000002
【特許請求の範囲】
【請求項１】
蒸気発生手段と冷風発生手段と熱風発生手段が設けられ、その各手段の出力は外部接続可能な１つの出力口に交わり、その出力口から選択された前記手段の出力が供給されることを特徴とする気体供給装置
【請求項２】
前記蒸気発生手段はボイラーからなり、また、前記冷風発生手段および熱風発生手段は送風手段を有する熱交換器からなることを特徴とする請求項１の気体供給装置
【請求項３】
前記ボイラーに軟水化装置が設けられていることを特徴とする請求項２の気体供給装置
【請求項４】
前記各手段が牽引または自走可能な台車に設けられていることを特徴とする請求項１の気体供給装置
【請求項５】
少なくとも植栽土壌基材の投入口を有する容器と、その容器内の植栽土壌基材を攪拌するための攪拌手段と、請求項１記載の気体供給装置から構成され、前記容器または／および前記攪拌手段に、気体供給装置に続く導通路と噴射口が設けられていることを特徴とする攪拌装置
【請求項６】
前記噴射口が前記容器の下方に適数設けられていることを特徴とする請求項５の攪拌装置
【請求項７】
前記噴射口が前記容器の側方適数に設けられていることを特徴とする請求項５の攪拌装置
【請求項８】
前記攪拌手段が少なくとも水平軸と、その水平軸に植栽土壌基材を攪拌可能に設けられた羽根とから構成され、該水平軸に前記噴射口が適数設けられていることを特徴とする請求項５の攪拌装置
【請求項９】
前記攪拌手段が少なくとも水平軸と、その水平軸に植栽土壌基材を攪拌可能に設けられた羽根とから構成され、該羽根に前記噴射口が適数設けられていることを特徴とする請求項５の攪拌装置
【発明の詳細な説明】
【０００１】
【産業上の利用分野】
本発明は、植物栽培に用いられる植栽土壌基材の殺菌等に用いる気体供給装置と、本装置を備えてなる植栽土壌基材の殺菌から土壌調整までを行う攪拌装置に関するものである。
【０００２】
【従来技術と問題点】
従来、植物を栽培する際、その植物の苗または種子を植付けるために使用される植栽土壌は、オガクズや米糠等の植栽土壌基材が適当な割合で混ぜ合わされ、それに適当な量の肥料が混ぜ加えられて調整されている。
しかし、その植栽土壌の調整には極めて長い時間が掛かっている。その調整工程の内訳を見ると、先ず植栽土壌基材は消毒すなわち殺菌される。この殺菌工程は、植栽土壌基材を所定の容器に積み重ねて収容し、その容器に接続した殺菌装置から蒸気を送り、その蒸気を容器の底部から噴射して殺菌を行っている。このため、容器上方の植栽土壌基材を殺菌可能な温度に上昇させるまで長い時間が掛かっている。作業効率的にも、積み重ねの高さはあまり低くできないのである。
【０００３】
そして、容器上方の植栽土壌基材が殺菌可能な温度に上昇した後は、一定時間蒸気を噴射して植栽土壌基材の殺菌を行う。その後、植栽土壌基材は容器から取り出され、シート等の上に広げられて植栽土壌基材の温度を下げ乾燥させるための冷却工程が始まる。また、この冷却工程は容器内で行われることもあり、その場合、殺菌装置に変わり送風装置が接続されて、容器内に空気を送って行われるのであるが、上述の蒸気の噴射と同様に空気を容器の底部から噴射するので、容器上方の植栽土壌基材の温度が下がって乾燥するまでは長い時間が掛かるのである。しかして、シート等の上に広げる方法は、植栽土壌基材の容器からの取り出しやシート上への広げる手間等から、多くの場合、送風装置を用いる冷却が行われている。
【０００４】
さらに、温度が下げられて乾燥された植栽土壌基材は攪拌装置に投入され、その攪拌装置による攪拌工程に移り、数種類の植栽土壌基材が適宜混ぜ合わせられると共に、それに適当な量の肥料が混ぜ加えられて、農作物や園芸そしてキノコ等の植物栽培に適した植栽土壌に適宜調整されるのである。
従って、植栽土壌の調整作業においてはその殺菌工程や冷却工程に極めて長い時間が掛かり、そして、少なくとも殺菌装置や攪拌装置の２つの装置を用いて作業を進めなければならず、また、植栽土壌基材を殺菌を行った容器内で冷却する場合は、殺菌装置と冷却装置の繋ぎ変えの作業も加わって、植栽土壌の調整作業は、調整作業に掛かる時間もさることながら殺菌装置等の繋ぎ変えの手間も掛かる極めて作業効率の劣るものであった。
【０００５】
【目的】
本発明は上述した問題点に鑑みてなされたもので、１度の接続で必要とする気体を供給できる気体供給装置を提供することを目的とし、さらには、本装置を用いて植栽土壌基材の殺菌から植栽土壌への調整までの一連の作業を全て行うことができる攪拌装置を提供することを目的とするものである。
【０００６】
【問題を解決するための手段】
本発明の要旨とするところは、蒸気発生手段と冷風発生手段と熱風発生手段が設けられ、その各手段の出力は外部接続可能な１つの出力口に交わり、その出力口から選択された前記手段の出力が供給されることを特徴とする気体供給装置である。
【０００７】
本発明の気体供給装置を詳しく説明すると、蒸気発生手段とは、植栽土壌基材中の種々の菌を死滅可能な温度の蒸気、すなわち、菌を殺菌するための蒸気を発生させるものである。
その構成や方法等も特に限定するものではなく、適当な貯水手段または外部の水の受水手段からそれらの水を蒸気発生部位となるボイラー内に送水して適宜温度の蒸気を発生するようにしてもよい。また、その蒸気も殺菌に有効なものであれば何でもよく、常圧または高圧の蒸気でもよい。さらに、蒸気の噴射力も好適な圧力で噴射させればよい。
ボイラーで使用する水も特に限定するものではないが、望ましくは、軟水化装置を通過させてその水を軟水にして用いるのがよい。
【０００８】
冷風発生手段とは、殺菌された植栽土壌基材を冷却、すなわち、蒸気よって高温になっている植栽土壌基材を冷ますための冷風を発生させるものである。
その構成や方法等も特に限定するものではなく、熱交換器によって常温の空気をさらに冷やしてその冷却された空気を送気してもよい。また、その冷却空気の湿度も適当に調整すればよい。勿論、常温または室温も相対的に冷風となり得るものであり、これをそのまま送気してもよい。
【０００９】
熱風発生手段とは、殺菌された植栽土壌基材また冷却された植栽土壌基材を乾燥させるための熱風を発生させるものである。
その構成や方法等も特に限定するものではなく、電気や適宜燃料を燃焼させることで熱を得るようにしてもよい。しかして、前述の蒸気発生手段をボイラーから構成する場合は、そのボイラーの熱を利用して、熱交換器によって常温の空気を熱しその暖められた空気を送気してもよい。また、その暖められた空気の湿度も適当に調整すればよい。
【００１０】
そして、前述の各手段の出力は外部接続可能な１つの出力口に集めて、その出力口から各手段の出力を供給するのがよい。
その出力口に集める部位も、各手段の構成や方法等により適宜選定すればよく特に限定するものではない。例えば、出力口に近接する部位、また、各手段の出力口に近接する部位、そして、各手段の３つ出力を１つの交点で交わせたり、また、２つの出力を適宜組合せて交わせそれに他の１つの出力を交わせるようにしてもよい。また、その出力口に続く配管路に安全弁を設けてもよい。
【００１１】
各手段の出力の供給は、所望の手段を起動することによってその出力が出力口から供給されるようにしたり、また、各手段がアイドリング状態で起動されており、配管路に設けられた所望の手段の電磁弁等の適宜弁を開くことでアイドリング状態から出力供給状態に移行して、その出力が出力口から供給されるようにしてもよい。
【００１２】
そして、前述の各手段を牽引または自走可能な台車に設けてもよい。その牽引可能な台車とは、例えば、少なくとも蒸気発生手段と冷風発生手段と熱風発生手段の各手段を搭載可能な車輪を備える筐体および／または架台から構成され、その筐体および／または架台に自動車やトラクタ等の車輌に有する牽引手段と連結または接続可能なフック等の牽引手段が設けられているものである。
自走可能な台車とは、例えば、少なくとも蒸気発生手段と冷風発生手段と熱風発生手段の各手段を搭載可能な車輪を備える筐体および／または架台から構成され、さらに、少なくとも車輪を回転させる動力手段や移動方向を変える舵取手段また進行停止を制御する走行制御手段等の運転装置が設けられているものである。
【００１３】
さらには、それらの台車に所望の手段へ電力を供給するための発電手段や外部電力の受電且つ所望の手段へ配電するための受配電手段等を設けてもよい。
また、上述の気体供給装置を用いてなる攪拌装置は、少なくとも植栽土壌基材の投入口を有する容器と、その容器内の植栽土壌基材を攪拌するための攪拌手段と、請求項１記載の気体供給装置から構成され、前記容器または／および前記攪拌手段に、気体供給装置に続く導通路と噴射口が設けられていることを特徴とする攪拌装置である。
【００１４】
容器とは、オガクズや米糠等の植栽土壌基材を収容するもので、上方部に植栽土壌基材を投入するための投入口が設けられている。
その容器の形状においても、容器内の植栽土壌基材が攪拌手段によって攪拌可能であればよく、攪拌手段の形態また構造等を考慮して、効率よく攪拌を行うことができる形状とすればよい。具体的には、横長または縦長の立方体や円柱体等の形状、また、立方体や逆三角体の下方を湾曲させた形状等にすればよい。
【００１５】
投入口においても、植栽土壌基材を投入できればその形状や構造等を限定するものではなく、断面円形や角形とすればよい。そして、その投入口は別体として容器に形成してもよいが、容器上方部の全部または一部を開口としてもよく、また、投入口から容器内に続く適当な通路を設けた構造としてもよい。勿論、投入口に蓋体を設けてもよい。
また、投入された植栽土壌基材が適宜攪拌によって植栽土壌となった際、その植栽土壌の取り出しは投入口の開口から取り出してもよいが、作業的にも容器の下方部に取出口を設置するのが望ましい。
【００１６】
攪拌手段とは、容器内の植栽土壌基材を混ぜ合わせるすなわち攪拌することができるように構成された機構部である。
その攪拌手段においては、容器内の植栽土壌基材を混ぜ合わせるすなわち攪拌することができるように構成されているものであればどのような形態また構造のものよく、容器の形状等を考慮してその形態や構造等を決めればよい。
具体的には、少なくとも水平軸と、その水平軸に植栽土壌基材を攪拌可能な羽根を設けて構成すればよい。また、その羽根も螺旋状の１枚または複数枚の羽根を水平軸に周設してオーガ状にしたり、水平軸の周囲に所定の間隔を開けて単一の羽根を立設するようにしてもよく、植栽土壌基材が攪拌できればどのような形態の羽根であってもよい。
【００１７】
そして、少なくとも上述の容器と攪拌手段とが組み合わされてなるものが攪拌装置であり、さらに、本攪拌装置は容器と攪拌手段に加えて、前述の気体供給装置が設けられてなる攪拌装置である。
気体供給装置の設置部位も特に限定するものではなく、例えば、容器体に隣接させたりまたその近傍に別体として設置したり、また、気体供給装置を構成する蒸気発生手段／冷風発生手段／熱風発生手段をその各手段別々に、それらの設置に適する容器体の適宜部位に設けてもよい。
【００１８】
本攪拌装置は、植栽土壌基材を攪拌しながら容器および／または攪拌手段の適当な部位から蒸気を噴射させて植栽土壌基材を殺菌し、その殺菌が完了した後に蒸気を熱風に変えて植栽土壌基材を乾燥させ、乾燥完了後蒸気を冷風に変えてその冷風を噴射させて植栽土壌基材を冷却するものである。
そして、その植栽土壌基材に適当な量の肥料等が混ぜ加えられ攪拌されて植物栽培に適した植栽土壌に調整される。
【００１９】
そして、容器の噴射口の配設部位も特に限定するものではなく好適な部位に適数配設すればよい。
具体的な部位としては、容器の下方や側方、すなわち容器の底部や周壁に設ければよい。勿論、底部と側壁の両方に設けてもよい。底部においては、容器の形状が容器下方を湾曲させた形状であった場合、その底部とは、容器の最下点から両側方に多少立ち上がった範囲をも含むものである。
【００２０】
また、攪拌手段の噴射口の配設部位も特に限定するものではなく好適な部位に適数配設すればよい。
具体的な部位としては、攪拌のために容器内の植栽土壌基材の中を移動している部位や植栽土壌基材の中に出入りする部位である。
そして、攪拌手段が少なくとも水平軸と、その水平軸に植栽土壌基材を攪拌可能な羽根を設けて構成されているものである場合、その具体的な部位としては、水平軸の周囲に設ければよい。また、羽根の片面または両面に設ければよい。勿論、水平軸と羽根の両方に設けてもよい。
【００２１】
上述の噴射口までは、蒸気の温度に耐え得る素材、例えば金属からなるパイプ等によって蒸気を導いたり、あるいは、容器の底壁／側壁、また、攪拌手段の水平軸／羽根の内部に蒸気を導くための導通路を形成し、その導通路に蒸気を通過させて噴射口まで導くようにしてもよい。
また、容器また攪拌手段の内部に蒸気を通過させる場合、容器また攪拌手段は蒸気の温度に耐え得る素材から構成しなければならない。
【００２２】
【作用】
本発明の気体供給装置とこの装置を備える攪拌装置は以上のように構成されているので、気体供給装置は、１つの出力口から選択された手段、すなわち、蒸気発生手段／冷風発生手段／熱風発生手段の何れかの出力を得ることができる。従って、今使っている出力から次の出力に素早く移行することができる。
【００２３】
攪拌装置は、投入された植栽土壌基材が攪拌手段によって攪拌されると共に、気体供給装置の蒸気発生手段から蒸気か送気され、その植栽土壌基材は攪拌されながら容器および／または攪拌手段の適当な部位から噴射する蒸気によって殺菌される。
次に、殺菌の完了と共に熱風発生手段から熱風が送気され、攪拌されながら容器および／または攪拌手段の適当な部位から噴射する熱風によって植栽土壌基材は乾燥される。
【００２４】
さらに、蒸気は止められ冷風発生手段から冷風が送気され、攪拌されながら容器および／または攪拌手段の適当な部位から噴射する冷風によって植栽土壌基材は冷却される。
その乾燥冷却された植栽土壌基材に適当な量の肥料等が混ぜ加えられ攪拌されて植物栽培に適した植栽土壌が調整される。
植栽土壌基材は攪拌されながら蒸気が噴射されるので、蒸気を短時間で植栽土壌基材の隅々にまで行き渡らせることができる。また、殺菌の間に植栽土壌基材が混ぜ合わせられるので、殺菌の完了と植栽土壌基材の混ぜ合わせが同時に終了する。
【００２５】
そして、熱風の噴射によって植栽土壌基材が乾燥するので、肥料の投入までの待ち時間が短縮され、さらに冷風が噴射されることで植栽土壌基材の温度が素早く下がる。
本装置の使用により、植栽土壌基材の殺菌から肥料を添加した植栽土壌への調整までの一連の作業を全て行うことができる。
【００２６】
【実施例】
本発明の気体供給装置とこの装置を備える攪拌装置を以下図面に従って説明すると、図１は、本発明に係わる気体供給装置と攪拌装置のブロック構成図である。
気体供給装置１の構成は、蒸気発生手段となるボイラー２と、冷風または熱風発生手段となる熱交換器３から構成され、それらの出力（蒸気／冷風／熱風）は外部接続可能な出力口５１に集められ、その出力口５１から所定の出力が供給される。本図は、気体供給装置１が攪拌装置６に接続されている図であるが、気体供給装置１の接続先はどのような装置であってもよい。
【００２７】
攪拌装置６の構成は、植栽土壌基材１０の投入口７３を有する収容槽７と、その収容槽７内に植栽土壌基材１０を攪拌するための羽根９を立設した水平軸８が設けられて構成され、その水平軸８に、気体供給装置１の出力口５１に接続可能な入力口８２と、その入力口８２から続く多数の噴射口８４を形成した導通路８３が設けられ、気体供給装置１からの所定の出力が水平軸８の導通路８３を通過し噴射口８４から噴射される。本図は、攪拌装置６が気体供給装置１に接続されている図であるが、気体供給装置１は攪拌装置６内に備えてもよい。
【００２８】
図２は、気体供給装置を搭載する台車の側面図であり、本図は、気体供給装置１を牽引可能な台車１ａに搭載しているもので、（ａ）図は左側面、（ｂ）図は右側面である。１ｂは牽引の際に車輌やトラクタと連結するための連結器である。
２は蒸気発生手段となるボイラー、２１はボイラー２への供給水を貯めておく貯水槽、２２は供給する水を軟水にするための軟水化装置、３は冷風または熱風発生手段となる熱交換器、４は冷風の供給時に作動するコンプレッサーである。また、熱風はボイラー２の熱を利用して熱交換器で作られる。
【００２９】
５はボイラー２および熱交換器３からの出力の送気管、５１はそれらの出力である蒸気、冷風、熱風を外部に出力するための出口となる出力口である。
図３は、攪拌装置の一部切り欠き側面図であり、６は攪拌装置、７は植栽土壌基材１０等が入れられる収容槽で、７１は収容槽７の側壁、７２は底壁、７３は植栽土壌基材１０等を入れる投入口、７４は調整された植栽土壌１２の取出口である。
【００３０】
８は水平軸で、８１は水平軸８の軸受、８２は気体供給装置１からの所定の出力の入力口、８５は水平軸８を回動させるための駆動部である。そして、８４は水平軸８の周囲に配設されている噴射口であり、植栽土壌基材１０を殺菌する時は気体供給装置１のボイラー２によって蒸気Ａが供給されると共にその蒸気Ａが噴射され、また、攪拌された植栽土壌基材１０を冷却する時は気体供給装置１の熱交換器３によって熱風Ｃが供給されると共にその熱風Ｃが噴射され、さらには、乾燥時は気体供給装置１の熱交換器３によって冷風Ｂが供給されると共にその冷風Ｂが噴射される。
【００３１】
９は水平軸８の周囲に取り付けられた羽根で、この羽根９によって植栽土壌基材１０が攪拌され、そして、肥料１１が加えられて植栽土壌１２に調整される。図４は、攪拌装置部の一部切り欠き正面図で、本図は、気体供給装置１を除いて見たところの図である。６は攪拌装置、７は収容槽、７１は収容槽７の側壁、７２は底壁、７３は投入口、７４は取出口である。
８は水平軸で、その内部に気体供給装置１から供給される所定の出力（蒸気Ａ／冷風Ｂ／熱風Ｃ）の導通路８３が形成される。９は羽根である。
【００３２】
図５は、水平軸の一部切り欠き側面図であり、水平軸８はその内部に所定の出力（蒸気Ａ／冷風Ｂ／熱風Ｃ）の導通路８３が形成されており、それらの出力は気体供給装置１から入力口８２に供給され、そして、その導通路８３を通過して噴射口８４から噴出する。９は攪拌用の羽根である。
図６は、噴射口が設けられた羽根の一部切り欠き側面図で、本図は、所定の出力（蒸気Ａ／冷風Ｂ／熱風Ｃ）の噴射口を羽根９の両面に配設した形態を示すものである。
【００３３】
その所定の出力（蒸気Ａ／冷風Ｂ／熱風Ｃ）は、気体供給装置１から水平軸８の入力口８２に供給され、そして、水平軸８内の導通路８３および羽根９内に形成された導通路９１を通過して噴射口９２から噴出する。
図７は、噴射口が底部に設けられた収容槽の一部切り欠き側面図で、本図は、所定の出力（蒸気Ａ／冷風Ｂ／熱風Ｃ）の噴射口を収容槽７の底壁７２に配設した形態を示すものである。
【００３４】
その所定の出力（蒸気Ａ／冷風Ｂ／熱風Ｃ）は、気体供給装置１から収容槽７の入力口７５に供給され、そして、収容槽７の底壁７２内の導通路７６を通過して噴射口７７から噴出する。８は水平軸、８１は軸受、９は攪拌用の羽根である。
図８は、噴射口が側壁に設けられた収容槽の一部切り欠き正面図で、本図は、所定の出力（蒸気Ａ／冷風Ｂ／熱風Ｃ）の噴射口を収容槽７の側壁７１に配設した形態を示すものである。
【００３５】
その所定の出力（蒸気Ａ／冷風Ｂ／熱風Ｃ）は、気体供給装置１から収容槽７の入力口７５に供給され、そして、収容槽７の底壁７２内の導通路７６から側壁７１内の導通路７６を通過して噴射口７７から噴出する。８は水平軸、９は攪拌用の羽根である。
図９は、植栽土壌調整の工程図である。
【００３６】
（ａ）図は、攪拌装置６に植栽土壌基材１０が投入されて、気体供給装置１のボイラー２から蒸気Ａが供給され、その蒸気Ａの噴射による殺菌と羽根９による攪拌が同時に行われる工程である。
（ｂ）図は、気体供給装置１の熱交換器３から熱風Ｃが供給されて、攪拌と共にその熱風Ｃによって植栽土壌基材１０が乾燥される工程である。
（ｃ）図は、気体供給装置１の熱交換器３から冷風Ｂが供給されて、攪拌と共にその冷風Ｂによって植栽土壌基材１０が冷却される工程である。
（ｄ）図は、乾燥された植栽土壌基材１０に適当な肥料１１が投入され攪拌されて、所望の植栽土壌１２に調整される工程である。
【００３７】
【効果】
本発明の気体供給装置とこの装置を備える攪拌装置は以上のように構成されているので、気体供給装置は、１つの出力口から選択された手段の出力すなわち蒸気発生手段／冷風発生手段／熱風発生手段の各出力を得ることができるので、今使っている出力から次の出力に移行する際も、配管等の繋ぎ変えもなく素早く移行することができる。従って、配管等の繋ぎ変えによる時間のロスがなく、植栽土壌基材等の調整に掛かる作業時間を短縮することができる。
【００３８】
気体供給装置を備える本攪拌装置は、植栽土壌基材を攪拌しながら蒸気を噴射して殺菌するので、短時間で且つ植栽土壌基材の隅々まで確実に殺菌することができる。また、殺菌の間に植栽土壌基材が混ぜ合わせられるので、殺菌の完了と植栽土壌基材の混ぜ合わせを同時に終了させることができる。
そして、殺菌完了の後熱風乾燥を行うが、殺菌時の熱をそのまま利用でき効率のよい乾燥を行うことが出来、また、冷却により、植栽土壌基材の温度を素早く下げることができ、肥料投入までの待ち時間を短縮することができる。
【００３９】
従って、本攪拌装置を用いることにより、植栽土壌基材の殺菌から肥料が添加された植栽土壌が得られるまでの時間が大幅に短縮されるので、植栽土壌の調整作業を高効率で行うことができる。
また、植栽土壌基材の殺菌から肥料が添加された植栽土壌となるまでの調整作業を本攪拌装置だけで行うことができる。
【００４０】
さらには、殺菌に要する時間が短縮されたことにより、殺菌用の蒸気発生に必要な燃料の量を大幅に低減できるので、経済面また温暖化防止等の環境面においても極めて優れたものである。
上述のように、植栽土壌基材の殺菌から冷却までの時間が大幅に短縮されたので、キノコ等の栽培効率の向上にも貢献するものである。
そして、植栽土壌の調整を本攪拌装置だけで行えることから、植栽土壌の調整作業を全自動で行うことも可能となって省力化にも繋がるものである。
【図面の簡単な説明】
【図１】本発明に係わる気体供給装置と攪拌装置のブロック構成図
【図２】気体供給装置を搭載する台車の側面図
【図３】攪拌装置の一部切り欠き側面図
【図４】攪拌装置部の一部切り欠き正面図
【図５】水平軸の一部切り欠き側面図
【図６】噴射口が設けられた羽根の一部切り欠き側面図
【図７】噴射口が底部に設けられた収容槽の一部切り欠き側面図
【図８】噴射口が側壁に設けられた収容槽の一部切り欠き正面図
【図９】植栽土壌調整の工程図
【符号の説明】
１−気体供給装置，１ａ−台車，１ｂ−連結器，２−ボイラー，２１−貯水槽，２２−軟水化装置，３−熱交換器，４−コンプレッサー，５−送気管，５１−出力口，　６−攪拌装置，７−収容槽，７１−側壁，７２−底壁，７３−投入口，７４−取出口，７５−入力口，７６−導通路，７７−噴射口，８−水平軸，８１−軸受，８２−入力口，８３−導通路，８４−噴射口，８５−駆動部，９−羽根，９１−導通路，９２−噴射口，１０−植栽土壌基材，１１−肥料，１２−植栽土壌，Ａ−蒸気，Ｂ−冷風，Ｃ−熱風
【図１】
2004016053.tif 000003
【図２】
2004016053.tif 000004
【図３】
2004016053.tif 000005
【図４】
2004016053.tif 000006
【図５】
2004016053.tif 000007
【図６】
2004016053.tif 000008
【図７】
2004016053.tif 000009
【図８】
2004016053.tif 000010
【図９】
2004016053.tif 000011